(57)【要約】【課題】収容した試料の変形および崩れや変質を最小限に抑制でき、それにより、試料を良好な状態で保管することができる標準貫入試験用試料袋を提供する。【解決手段】標準貫入試験で採取された試料Ｓを収容するための標準貫入試験用試料袋１１であって、透明のプラスチックから成り、試料Ｓを採取した状態で収容可能な所定の高さＨおよびこの高さＨよりも大きな所定の幅Ｗを有する横長長方形に形成され、収容された試料Ｓによって表裏方向に押し拡げられる拡幅部１４を底部に有し、試料Ｓを密封するための開閉自在のファスナー１２を上部に有する。【選択図】　図１
0003097121.tif 000002
【実用新案登録請求の範囲】
【請求項１】
標準貫入試験で採取された試料を収容するための標準貫入試験用試料袋であって、
透明のプラスチックから成り、前記試料を採取した状態で収容可能な所定の高さおよびこの高さよりも大きな所定の幅を有する横長長方形に形成され、
前記収容された試料によって表裏方向に押し拡げられる拡幅部を底部に有し、
前記試料を密封するための開閉自在のファスナーを上部に有することを特徴とする標準貫入試験用試料袋。
【請求項２】
前記拡幅部が、
当該標準貫入試験用試料袋の下端部を内側に折りたたむことにより形成された折たたみ部と、
この折たたみ部の両側端部をその外側の両側部に融着することにより形成された融着部と、
を有することを特徴とする、請求項１に記載の標準貫入試験用試料袋。
【請求項３】
表面に、標準貫入試験に関する所定の記載項目が表示されるとともに、その記載欄が設けられていることを特徴とする、請求項１または２に記載の標準貫入試験用試料袋。
【請求項４】
前記所定の幅が最大５０ｃｍで互いに異なる複数サイズで構成されていることを特徴とする、請求項１ないし３のいずれかに記載の標準貫入試験用試料袋。
【考案の詳細な説明】
【０００１】
【考案の属する技術分野】
本考案は、地盤調査において実施される標準貫入試験によって採取された試料を収容し、保管するのに用いられる標準貫入試験用試料袋に関する。
【０００２】
【従来の技術】
本出願人は、この種の標準貫入試験用試料袋を、特許文献１にすでに開示している。図８に示すように、この標準貫入試験用試料袋５１（以下「試料袋５１」という）は、透明のプラスチックから成り、所定のサイズの横長長方形に形成されている。試料袋５１の底部５３は単純に閉じられており、上部には、試料Ｓ（図９参照）を密封するための開閉自在のファスナー５２が設けられている。このような構成により、試料Ｓを、サンプラーで採取したそのままの状態で、深度関係を乱すことなく、試料袋５１に収容できる。また、開閉自在のファスナー５２によって、そのような試料Ｓの収容状態を保持したまま、ワンタッチで簡単に密封することができる。さらに、試料袋５１の表面に、孔番、深度やＮ値などの記載項目と、その記載欄が設けられているので、標準貫入試験結果の記載もれを確実に防止できるとともに、コア箱を開いた状態で、これらの情報を容易に読み取ることができる。
【０００３】
【特許文献１】
登録実用新案第３０６７６２２号公報
【０００４】
【考案が解決しようとする課題】
上述した試料袋５１は、その底部５３が単純に閉じられている。このため、図９に示すように、試料袋５１に試料Ｓを入れ、ファスナー５２を閉じた状態では、試料Ｓが表裏方向に強く挟み付けられてしまう。その結果、比較的軟らかい粘性土の場合には、同図（ｃ）に示すように、試料Ｓが扁平に変形したり、砂質分が多い場合には試料Ｓが崩れたりするなど、採取時の形状を保ちにくい。また、試料袋５１が試料Ｓに強く密着するため、時間が経過するにつれて、試料Ｓの水分が表面に次第にしみ出ることで、試料Ｓが見にくくなるとともに、かびの発生やそれによる変質を招きやすいなどの保管上の問題がある。さらに、このような保管上の問題から、試料袋５１に試料Ｓを入れた状態で写真を撮っても、その写真のみでは試料Ｓの状態を容易には判断できず、その判断のためには、試料Ｓの実物を観察することが必要になる。
【０００５】
本考案は、このような課題を解決するためになされたものであり、収容した試料の変形および崩れや変質を最小限に抑制でき、それにより、試料を良好な状態で保管することができる標準貫入試験用試料袋を提供することを目的とする。
【０００６】
【課題を解決するための手段】
この目的を達成するため、本考案は、標準貫入試験で採取された試料を収容するための標準貫入試験用試料袋であって、透明のプラスチックから成り、試料を採取した状態で収容可能な所定の高さおよびこの高さよりも大きな所定の幅を有する横長長方形に形成され、収容された試料によって表裏方向に押し拡げられる拡幅部を底部に有し、試料を密封するための開閉自在のファスナーを上部に有することを特徴とする。
【０００７】
この標準貫入試験用試料袋（以下、単に「試料袋」という）によれば、試料袋が、上述したような所定の高さおよび幅を有し、横長長方形状に形成されているので、試料を、サンプラーで採取したそのままの状態で、深度関係を乱すことなく、容易に収容できる。また、試料袋の上部に設けた開閉自在のファスナーによって、そのような試料の収容状態を保持したまま、ワンタッチで簡単に密封することができる。
【０００８】
さらに、試料袋に試料を入れると、底部に設けた拡幅部が試料の重さで表裏方向に押し拡げられるので、試料を、試料袋の底部で強く挟み付けることなく、余裕のある状態で収容することができる。その結果、試料の変形を抑制できるとともに、表面への水分のしみ出しも抑制されることで、その変質も抑制することができる。試料の保管性がこのように改善される結果、例えば、試料袋に試料を入れた状態で撮影した写真のみによって、試料の実物を観察することなく、試料の状態を容易に判断することができる。また、拡幅部が、試料を収容したときのみ押し拡げられるので、試料袋は、未使用状態ではかさばらず、コンパクトに持ち運ぶことができる。
【０００９】
この場合、拡幅部が、標準貫入試験用試料袋の下端部を内側に折りたたむことにより形成された折たたみ部と、この折たたみ部の両側端部をその外側の両側部に融着することにより形成された融着部と、を有することが好ましい。この構成では、折たたみ部が、収容した試料で容易に押し拡げられるとともに、その状態を、両側端部が融着された融着部によって保持することができる。また、この試料袋は、その下端部を内側に折りたたみ、折たたみ部の両側端部を融着するだけで、容易に作製することができる。
【００１０】
これらの場合、表面に、標準貫入試験に関する所定の記載項目が表示されるとともに、その記載欄が設けられていることが好ましい。この構成では、表面に表示された所定の記載項目に従って、その記載欄に記載することにより、必要な記載項目をもれなく確実に記載することができる。また、試料を収容した試料袋を、その記載内容を上に向けて、コア箱に収納することによって、コア箱に収納した状態で、容易に試料を観察し且つ記載内容を読み取ることができる。
【００１１】
これらの場合、所定の幅が最大５０ｃｍで互いに異なる複数サイズで構成されていることが好ましい。この構成によれば、採取した試料の長さに合わせて適当な幅の試料袋を選択して使い分けることにより、特に試料が粘性土の場合には、その長さにかかわらず、サンプラーで採取したそのままの状態で、試料袋に容易に収容できる。なお、試料袋の幅を最大５０ｃｍとしたのは、標準貫入試験における最大採取試料長さが通常５０ｃｍであり、この幅で足りるためである。
【００１２】
【考案の実施の形態】
以下、図面を参照しながら、本考案の好ましい実施形態を、詳細に説明する。図１は本考案の一実施形態による試料袋を、図２はその記載例を、それぞれ示している。この試料袋１１は、ビニールなどの柔らかいプラスチックで作られており、両図に示すように、横長長方形に形成されている。試料袋１１は、所定の幅および高さを有しており、両図に示すものは、幅Ｗ＝４０ｃｍ、高さＨ＝１０ｃｍである。
【００１３】
試料袋１１の上端部にはスナップファスナー１２（ファスナー）が設けられている。このスナップファスナー１２は、その凸型と凹型を押し合わせることにより係合可能な周知のものであり、これにより、試料袋１１の開口１３をワンタッチで密閉することができる。
【００１４】
また、試料袋１１の底部には、拡幅部１４が設けられている。この拡幅部１４は、折たたみ部１４ａと、その両側端部の融着部１４ｂ、１４ｂを有している。折たたみ部１４ａは、試料袋１１の下端部を内側に山形に折りたたむことにより形成されており（図６（ａ）参照）、融着部１４ｂ、１４ｂは、折たたみ部１４ａの両側端部をその外側の両側部１５、１５にそれぞれ融着することにより形成されている。したがって、試料袋１１に試料Ｓを入れると、拡幅部１４の折たたみ部１４ａが、試料Ｓの重さで表裏方向に押し拡げられるとともに、そのように拡がった状態が、融着部１４ｂ、１４ｂによって保持される。
【００１５】
試料袋１１の表面には、所定の記載項目が印刷され、その横の余白部分が記載欄になっていて、試験現場において、油性インクペンなどで記載するようになっている。これらの記載項目のうちの左上の「孔番」は、ボーリング番号を記載する部分であり、図２に示すように、ボーリング番号を、例えば「Ｂ−１」と記載する。その下の「深度」は、標準貫入試験の試験深度を記載する部分であり、本打ちの開始深度および終了深度（ｍ）が例えば「２．１５〜２．４５」と記載される。
【００１６】
試料袋１１の右上の「番号」は、試料番号を記載する部分であり、例えば、この標準貫入試験が当該ボーリング孔で２番目に実施したものである場合には、そのことを示すために、図２に示すように「Ｐ−２」などと記載される。
【００１７】
「深度」の下側は、Ｎ値を記載する部分であり、その上欄には、Ｎ値すなわち本打ちにおける総打撃数／そのときの貫入量（ｃｍ）が、「７／３０」などと記載され、その下側のかっこ内に、Ｎ値の内訳、例えば貫入量１０ｃｍごとの打撃数が、打撃数／貫入量（ｃｍ）の順で、「（２／１０，２／１０，３／１０）」などと記載される。
【００１８】
また、試料袋１１は、図１および図２に示す幅Ｗ＝４０ｃｍのものの他、幅Ｗ＝１０ｃｍ、２０ｃｍ、３０ｃｍおよび５０ｃｍの、１０ｃｍピッチで計５種類の幅のものが用意されている。これらのうち、２０ｃｍ幅の試料袋１１のみを図３に示す。図１および図２との比較から明らかなように、これらの他のサイズの試料袋１１は、４０ｃｍ幅の試料袋１１と比較し、高さＨは同じ１０ｃｍで、幅のみが異なるものであり、記載項目も同じで、その文字は幅の相違に応じた大きさで描かれている。なお、試料袋１１の左上の矢印「↑」は、試料Ｓの入り口が一目でわかるようにするための表示であり、同じ表示を４０ｃｍ幅の試料袋１１に描いてもよい。
【００１９】
次に、上記構成の試料袋１１の使用方法を、標準貫入試験の手順に沿って説明する。
▲１▼　まず、所定の試験方法により、Ｎ値を野帳などに記録しながら標準貫入試験を行った後、サンプラー１を引き上げ、図４に示すようにシュー１ａとスプリットバレル１ｂ、１ｂに分解した後、採取した試料Ｓを観察し、その結果を記録する。
▲２▼　次に、採取した試料Ｓの長さに応じた幅の試料袋１１を選択し、選択した試料袋１１の記載欄に、ボーリング番号、試験深度、Ｎ値および試料番号を、油性インクペンなどで、図２のように記載する。このように、標準貫入試験の必須のデータ項目であるボーリング番号、試験深度ならびにＮ値およびその内訳が、記載項目として、試料袋１１にあらかじめ表示されているので、その表示に従って記載欄を埋めるだけで、これらをもれなく確実に記載することができる。また、試料番号をあらかじめ記載しておくことにより、土質試験などのためにこの試料の一部を後で抜き出す場合に、この試料番号をそのまま土質試験番号などとして便利に用いることができる。
【００２０】
▲３▼　次いで、サンプラー１から試料Ｓを取り出し、図５および図６（ａ）に示すように試料袋１１の開口１３を開いて、これに収容する。これにより、試料袋１１の拡幅部１４の折たたみ部１４ａが、試料Ｓの重さで表裏方向に押し拡げられる（図６（ｂ）参照）。また、そのように拡がった状態が融着部１４ｂによって保持されるので、試料Ｓを、表裏方向に強く挟み付けることなく、余裕のある状態で収容することができる。さらに、試料袋１１が、試料Ｓの長さに応じた幅の横長長方形の形状を有するので、図５に示すように、試料Ｓが粘性土の場合には、その長さにかかわらず、試料Ｓを、サンプラー１で採取したそのままの状態で、深度関係を乱すことなく、試料袋１１に容易に収容することができる。
▲４▼　次に、スナップファスナー１２を閉じる（図６（ｃ）参照）。これにより、上記のような試料Ｓの収容状態を保持したまま、試料袋１１をワンタッチで簡単に密封した後、試料Ｓを収容した試料袋１１を、その記載欄を上に向けて、コア箱Ｃに収納する。この状態では、図７に示すように、透明な試料袋１１を通して試料Ｓを容易に観察できるとともに、記載したＮ値などの記載内容を容易に読み取ることができる。
【００２１】
以上のように、本実施形態によれば、試料袋１１の底部に形成した拡幅部１４が、収容した試料Ｓの重さで表裏方向に押し拡げられるので、試料Ｓを、試料袋１１の底部で強く挟み付けることなく、余裕のある状態で収容することができ、したがって、試料Ｓの変形や崩れを抑制することができる。同じ理由から、試料袋１１が試料Ｓに強く密着することがなくなるため、試料Ｓの水分の表面へのしみ出しも抑制でき、それにより、試料Ｓを見やすい状態に保てるとともに、かびの発生やそれによる試料Ｓの変質を抑制することができる。以上により、試料を良好な状態で保管することができる。その結果、例えば、試料袋１１に試料Ｓを入れた状態で撮影した写真のみによって、試料Ｓの実物を観察することなく、試料Ｓの状態を容易に判断することができる。また、拡幅部１４が、試料Ｓを収容したときのみ押し拡げられるので、試料袋１１は、未使用状態ではかさばらず、コンパクトに持ち運ぶことができる。さらに、この試料袋１１は、その下端部を内側に折りたたみ、折たたみ部１４ａの両側端部を融着するだけで、容易に作製することができる。
【００２２】
なお、本考案は、説明した実施形態に限定されることなく、種々の態様で実施することができる。例えば、実施形態では、試料袋１１の拡幅部１４が、下端部を折りたたんだ折たたみ部１４ａと、その両側端部を融着した融着部１４ｂで構成されているが、その構成は、収容した試料で拡幅されるものであれば任意である。その他、本考案の趣旨の範囲内で、細部の構成等を適宜、変更することが可能である。
【００２３】
【考案の効果】
以上詳述したように、本考案の標準貫入試験用試料袋は、収容した試料の変形および崩れや変質を最小限に抑制でき、それにより、試料を良好な状態で保管することができるなどの効果を有する。
【図面の簡単な説明】
【図１】本考案の一実施形態による４０ｃｍ幅の試料袋の平面図である。
【図２】試料袋への記載例を示す平面図である。
【図３】２０ｃｍ幅の標準貫入試験用試料袋の平面図である。
【図４】標準貫入試験後にサンプラーを引き上げ、分解した状態を示す斜視図である。
【図５】試料袋に試料を移した状態を示す斜視図である。
【図６】試料袋内での試料の収容状態を説明するための図である。
【図７】試料を収容した試料袋をコア箱に収納した状態の平面図である。
【図８】従来の試料袋の平面図である。
【図９】従来の試料袋内での試料の収容状態を説明するための図である。
【符号の説明】
１１　標準貫入試験用試料袋
１２　スナップファスナー
１４　拡幅部
１４ａ　折たたみ部
１４ｂ　融着部
Ｈ　試料袋の高さ
Ｗ　試料袋の幅
【図１】
0003097121.tif 000003
【図２】
0003097121.tif 000004
【図３】
0003097121.tif 000005
【図４】
0003097121.tif 000006
【図５】
0003097121.tif 000007
【図６】
0003097121.tif 000008
【図７】
0003097121.tif 000009
【図８】
0003097121.tif 000010
【図９】
0003097121.tif 000011